(57)【特許請求の範囲】
【請求項１】
ランプピン装着用開口を有する熱可塑性樹脂製の筐体内に、前記ランプピン装着用開口に臨ませて互いに異極となる一対の導電ばねを収容し、前記ランプピン装着用開口から挿入される一対のランプピンを、前記導電ばねにそれぞれ当接させてランプを装着させる蛍光灯ソケットにおいて、前記筐体と前記導電ばねとの間に、前記導電ばねと前記ランプピンとの当接開始位置近傍と離脱開始位置近傍の前記筐体と前記導電ばねとの間の距離を、他の部分よりも広くさせる間隙を、前記導電ばねの前記ランプピンとの当接開始位置近傍と離脱開始位置近傍を幅狭にして形成したことを特徴とする蛍光灯ソケット。
【発明の詳細な説明】
【０００１】
【発明の属する技術分野】
本発明は、蛍光灯ソケットに関するものである。
【０００２】
【従来の技術】
図２５乃至図２７は、従来の蛍光灯ソケットを示すもので、この蛍光灯ソケットは、特公昭６３−２９３９２号公報に開示されたものであって、筐体１と、導電ばね２とを備えて構成されている。
【０００３】
筐体１は、絶縁物製のボディ３とカバー４、及び回転子５とから構成されている。ボディ３は、前面側に円形のランプピン装着用開口３ａが設けられ、後面が開口した中空状であって、前面側の側壁にはランプピン装着用開口３ａに連通するピン挿入溝３ｂが設けられている。カバー４は、ボディ３のランプピン装着用開口３ａと同心状に配設される受筒４ａを前面に備え、その受筒４ａにピン挿入溝３ｂと方向を一致させて溝４ｂが設けられると共に、ボディ３の後面の開口を塞ぐようにボディ３に取付けられるようにされている。また、回転子５は、カバー４の受筒４ａの外周に回転自在に嵌合するように略筒状に形成され、その前面側から側壁にかけてランプ６のランプピン６ａが挿通するピン案内溝５ａが形成されている。
【０００４】
また、導電ばね２は、略同幅で長尺の板状導電部材を弾性を有するように折り返して二重に形成され、一方側の外面側に略弧状をなしランプ６のランプピン６ａに当接する接触面２ａが形成されてなり、略弧状をなす接触面２ａ側をボディ３のランプピン装着用開口３ａ周端の後面側で、ランプピン装着用開口３ａの中心を挟んで互いに対向するように向けて収容されるようにされている。そして、このとき、ボディ３の前面側のランプピン装着用開口３ａ周端の裏面側と、導電ばね２の前面側の端部との距離が、導電ばね２の接触面２ａの端部のどの位置でも略当接するくらいであって略等距離となるようにされており、この距離は蛍光灯ソケットが大型化することがないように、通常は、導電ばね２とボディ３の公差程度の極めて小さい寸法とされている。
【０００５】
このように構成された蛍光灯ソケットでは、回転子５を回転させてピン案内溝５ａをボディ３のピン挿入溝３ｂの方向に合わせ、そのピン案内溝５ａにランプピン６ａを挿入して、回転子５と共にランプ６を回転させることにより、ランプピン６ａの側面が、その回転の途中から導電ばね２の略円弧状の接触面２ａに当接し始め、さらに回転させて所定の位置でランプ６の回転を止めることにより、導電ばね２の弾性によりランプピン６ａが所定の圧力で確実に当接して電気的接続がとられ、ランプ６が蛍光灯ソケットに装着されるようにされている。
【０００６】
【発明が解決しようとする課題】
一般に、蛍光灯ソケットに通電状態でランプを着脱しようとすると、ランプピンと導電ばねとの間には、その当接開始時と離脱開始時に、つまり、ランプピンが導電ばねに接触する瞬間、及び離れる瞬間に、導電ばねとランプピンとの間にアーク放電が生ずる。
【０００７】
しかしながら、上述のように構成された従来の蛍光灯ソケットにおいては、ランプピン６ａの導電ばね２への当接開始位置近傍と離脱開始位置近傍での、筐体１であるボディ３のランプピン装着用開口３ａ周端の裏面側と、導電ばね２の前面側である角部との距離が、他の位置における距離と略同距離であって、その距離は略当接する程度に極めて小さいものであり、また、筐体１であるボディ３等は成型のし易さから熱可塑性樹脂で形成されるため、アーク放電によるアークがボディ３に接触して、その熱によりボディ３が溶融、変形し、ランプ６の装着や取外しが困難となるおそれがあるという問題点があった。
【０００８】
本発明は、上記問題点に鑑みてなされたもので、その目的とするところは、ランプの着脱時にランプピンと導電ばねとの間に生ずるアーク放電により、熱可塑性樹脂製の筐体が溶融、変形することを防止した蛍光灯ソケットを提供することにある。
【０００９】
【課題を解決するための手段】
本発明は上記問題点を解決するため、請求項１記載の発明にあっては、ランプピン装着用開口を有する熱可塑性樹脂製の筐体内に、前記ランプピン装着用開口に臨ませて互いに異極となる一対の導電ばねを収容し、前記ランプピン装着用開口から挿入される一対のランプピンを、前記導電ばねにそれぞれ当接させてランプを装着させる蛍光灯ソケットにおいて、前記筐体と前記導電ばねとの間に、前記導電ばねと前記ランプピンとの当接開始位置近傍と離脱開始位置近傍の前記筐体と前記導電ばねとの間の距離を、他の部分よりも広くさせる間隙を、前記導電ばねの前記ランプピンとの当接開始位置近傍と離脱開始位置近傍を幅狭にして形成したことを特徴とする。
【００１２】
【発明の実施の形態】
図１乃至図５は、本発明の蛍光灯ソケットの第１の実施の形態を示すものであり、この蛍光灯ソケットは、筐体１と、互いに異極となる一対の導電ばね２とを備えて構成されている。
【００１３】
筐体１は、絶縁物である熱可塑性樹脂製のボディ３とカバー４、及び回転子５とから構成されている。ボディ３は、前面側に略円形のランプピン装着用開口３ａが設けられ、後面が開口した中空状であって、前面側の一方の側壁にはランプピン装着用開口３ａに連通し、ランプ６のランプピン６ａが挿入されるピン挿入溝３ｂが設けられている。カバー４は、ボディ３のランプピン装着用開口３ａと同心状に配設され、ランプピン装着用開口３ａより小径であってボディ３のピン挿入溝３ｂと同方向に溝４ｂが形成された受筒４ａを前面側に備え、ボディ３の後面の開口を塞ぐようにボディ３に取付けられるようにされている。また、回転子５は、カバー４の受筒４ａの外周に回転自在に嵌合する筒状部５ｂと、前面側に一体に設けられてランプピン装着用開口３ａの前面側に配設されて、ピン装着用開口３ａを覆うような略円板状の鍔状部５ｃとを備えて構成され、筒状部５ｂの前面側と鍔状部５ｃには、ランプ６のランプピン６ａが挿通するピン案内溝５ａが、その方向が、ボディ３のピン挿入溝３ｂ及びカバー４の溝４ｂと合致可能なように形成されている。
【００１４】
また、導電ばね２は、長尺の板状導電部材により形成され、ランプ６のランプピン６ａに当接する細幅の略平板状の接触面２ａの一端側に外部電線接続部２ｂが形成されると共に、その接触面２ａが、ランプ６のランプピン６ａの当接開始位置近傍及び離脱開始位置近傍が、他の部分よりも細幅となるように、２個所でその幅方向の両側が切り欠かれて細幅部２ｃを有するように構成されている。そして、この導電ばね２が、接触面２ａ側をボディ３のランプピン装着用開口３ａ周端の後面側で、受筒４ａの両側にピン挿入孔３ｂを挟む方向から対向するように向けて収容されるようにされており、導電ばね２は、筐体１内での位置決めのために、長尺方向の両端近傍がカバー４に設けられた保持部４ｃに保持され、少なくともその両端近傍が、ボディ３とカバー４の内面に当接するように挟持されるようにされている。そして、一対の細幅部２ｃの間の部分が、ランプピン６ａに当接する接触面２ａとされている。
【００１５】
したがって、筐体１であるボディ３の前面側のランプピン装着用開口３ａ周端の裏面側と導電ばね２の前面側の端部との間の距離は、導電ばね２に細幅部２ｃが設けられた部分である、ランプ６のランプピン６ａの当接開始位置近傍及び離脱開始位置近傍が、他の部分の導電ばね２とボディ３の公差程度の距離、または略当接する程度の距離に比べてかなり大きくなるような間隙Ｄが形成されるようにされている。
【００１６】
このように構成された蛍光灯ソケットでは、図４及び図５に示すように、回転子５を回転させてピン案内溝５ａをボディ３のピン挿入溝３ｂに合わせ、そのピン案内溝５ａにランプピン６ａを挿入して、回転子５と共にランプ６を一方向に回転させることにより、ランプピン６ａの側面が、ボディ３との間に間隙Ｄが形成される細幅部２ｃで、導電ばね２の接触面２ａに当接し始め、さらに回転させると導電ばね２の弾性により所定の圧力で確実に当接して電気的接続がとられ、所定の位置でランプ６の回転を止めることにより、ランプ６が蛍光灯ソケットに装着されるようにされている。また、ランプ６を外す際には、ランプ６をさらに回転させて、導電ばね２のもう一方の細幅部２ｃでランプピン６ａを接触面２ａから離脱させて行う。なお、この蛍光灯ソケットでは、ランプ６の回転方向を逆方向としてもランプ６は着脱できるが、その場合も回転方向を除いて上述と同様にして行われる。
【００１７】
このように構成されているため、本実施の形態における蛍光灯ソケットにおいては、導電ばね２とランプ６のランプピン６ａの当接開始位置近傍及び離脱開始位置近傍で、導電ばね２と熱可塑性樹脂製の筐体１であるボディ３との間に、それらの間の距離が他の部分よりも大きくなる間隙Ｄが設けられているため、導電ばね２とランプピン６ａ間にアーク放電が生ずることがあっても、そのアークが筐体１に触れにくくなって、筐体１の溶融や変形を防止することができる。また、筐体１との間に間隙Ｄを設ける部分は、導電ばね２のランプピン６ａの当接開始位置近傍及び離脱開始位置近傍のみでよいため、他の部分では導電ばね２を筐体１に当接させることもできて、導電ばね２の位置決めがしにくくなることもない。
【００１８】
さらには、導電ばね２を、ランプ６のランプピン６ａの当接開始位置近傍及び離脱開始位置近傍でのみ幅を狭く形成して細幅部２ｃとしているため、ランプ装着位置における導電ばね２とランプピン６ａの接触面積が狭くなることもなく、導電ばね２を全体を細幅にしたものに比べてばね圧を確保し易く、通電性能を確保させ易い。さらには、間隙Ｄを、導電ばね２を細幅とすることにより形成させたため、蛍光灯ソケットが大型化することもない。また、導電ばね２は少なくとも細幅部２ｃの両端では筐体１に当接することはないため、接触部２ａが弾性変形する際の摩擦がその分だけ小さくなって、導電ばね２を動き易くすることができる。また、細幅部２ｃは、導電ばね２の幅方向に対称に設けられているため、一対の導電ばね２を同じ形状のものとでき、導電ばね２の製造、及び蛍光灯ソケットの製造がし易い。
【００１９】
図６乃至図１０は、本発明の蛍光灯ソケットの第１の参考例を示すものであり、前記第１の実施の形態と異なる点は、導電ばね２を細幅部を設けず略同幅の板状体で形成させると共に、導電ばね２へのランプ６のランプピン６ａの当接開始位置近傍及び離脱開始位置近傍の筐体１であるボディ３を、導電ばね２から離れる方向に、つまり、前面側に突出させて突出部３ｃとしその裏面側に前面側に向かって窪む凹部３ｄを設けて、導電ばね２と筐体１であるボディ３との間の距離が他の部分よりも大きくなるような間隙Ｄを形成させた点と、回転子５の鍔状部５ｃの径を突出部３ｃにかからないような径とし、その表面をボディ３の突出部３ｃの頂部と略同面とさせた点であり、他は前記第１の実施の形態と同様に構成されている。
【００２０】
このように構成されているため、本実施の形態における蛍光灯ソケットにおいては、導電ばね２とランプ６のランプピン６ａの当接開始位置近傍及び離脱開始位置近傍で、導電ばね２と熱可塑性樹脂製の筐体１であるボディ３との間に、それらの間の距離が他の部分よりも大きくなる間隙Ｄが設けられているため、導電ばね２とランプピン６ａ間にアーク放電が生ずることがあっても、そのアークが筐体１に触れにくくなって、筐体１の溶融や変形を防止することができる。また、筐体１との間に間隙Ｄを設ける部分は、導電ばね２のランプピン６ａの当接開始位置近傍及び離脱開始位置近傍のみでよいため、他の部分では導電ばね２を筐体１に当接させることもでき、導電ばね２の位置決めがしにくくなることもない。さらには、導電ばね２の幅を狭めることなく間隙Ｄが形成されているため、導電ばね２のばね圧が小さくなることもなく通電性能を確保させ易い。
【００２１】
図１１は、本参考例の蛍光灯ソケットの変形例の要部を示すもので、上述の凹部をボディ３の表面側を前面側に突出させることなく、裏面側の肉をとるだけで形成させたものである。
【００２２】
図１２乃至図１６は、本発明の蛍光灯ソケットの第２の参考例を示すものであり、前記第１の参考例と異なる点は、導電ばね２へのランプ６のランプピン６ａの当接開始位置近傍及び離脱開始位置近傍の筐体１であるボディ３に、導電ばね２から離れる方向に、つまり、ランプピン装着用開口３ａと略同平面内で、ランプピン装着用開口３ａに連通させて切り欠き３ｅを設け、この切り欠き３ｅによって前記間隙Ｄを形成させた点と、回転子５の鍔状部５ｃの径をランプピン装着用開口３ａの径よりも大きくし、切り欠き３ｅをボディ３の前面側から略覆えるような径とさせた点であり、他は前記第１の参考例と同様に構成されている。
【００２３】
このように構成しても、前記第１の参考例と略同様の効果を奏する。なお、回転子５の鍔状部５ｃでボディ３の切り欠き３ｅを覆うと、筐体１との間の上述の間隙Ｄは導電ばね２と回転子５の鍔状部５ｃの間となるが、この場合においても、ボディ３の厚みに相当する部分だけ導電ばね２は鍔状部５ｃから離れることになって、上述の効果を奏することができる。
【００２４】
図１７乃至図１９は、本発明の蛍光灯ソケットの第２の実施の形態を示すもので、この蛍光灯ソケットは、筐体１と、互いに異極となる一対の導電ばね２とを備えて構成されている。
【００２５】
筐体１は、絶縁物である熱可塑性樹脂製のボディ３とカバー４とから構成されている。ボディ３は、側面側から前面側にかけて平行をなす２本の溝状のランプピン装着用開口３ａが設けられ、後面が開口した中空状に形成されている。また、カバー４は、ボディ３への係止爪４ｄが設けられた略板状体であって、ボディ３の後面の開口を塞ぐようにボディ３に装着されるようにされている。
【００２６】
導電ばね２は、長尺の板状導電部材により形成され、その略中央部近傍に細幅部２ｃが設けられると共に、その細幅部２ｃが鈍角に折り曲げられて折曲部２ｄとされ、その細幅部２ｃの折曲部２ｄの突出側の面が、ボディ３のランプピン装着用開口３ａに外側から突出するように、導電ばね２は、ボディ３の内部であってランプピン装着用開口３ａの外側に配設されるようにされている。そして、ランプピン装着用開口３ａから押し込まれるランプピン６ａに、細幅部２ｃで始めて当接し、ランプピン装着用開口３ａの奥側には、幅広となった接触面２ａが配設されるようにされており、導電ばね２の細幅部２ｃでは、筐体１であるボディ３との間の距離が、他の部分よりも大きくなるように間隙が形成されるようにされている。
【００２７】
このように構成された蛍光灯ソケットでは、図１８及び図１９に示すように、２本のランプピン６ａをランプピン装着用開口３ａに合わせて、ランプピン６ａを押込んでいくと、ランプピン６ａは、細幅部２ｃで導電ばね２に当接し始め、さらに押込んでいくと、導電ばね２の弾性により当接した状態を保ったままで細幅部２ｃの折曲部２ｄを乗り越え、ランプピン６ａは、ランプピン装着用開口３ａの奥側で導電ばね２の幅広の部分である接触面２ａに所定の圧力で当接して保持される。このように構成しても、前記第１の実施の形態と略同様の効果を奏する。
【００２８】
図２０乃至図２３は、本発明の蛍光灯ソケットの第３の参考例を示すもので、この蛍光灯ソケットは、筐体１と、互いに異極となる一対の導電ばね２とを備えて構成されている。
【００２９】
筐体１は、絶縁物である熱可塑性樹脂製のボディ３とカバー４、及び栓受体７とから構成されている。ボディ３は、前面側に開口した略箱状体であって、内部には導電ばね２が収容される空間を備えて構成されている。また、カバー４は、円形開口４ｅが設けられた略板状体であって、ボディ３の開口を前面側から略塞ぐように形成されている。栓受体７は、２つのランプピン装着用開口３ａが設けられてなり、カバー４の円形開口４ｅの背面側にボディ３の内側壁にガイドされて前後方向に摺動自在となるように配設されている。また、この栓受体７のランプピン装着用開口３ａ近傍の背面側には、ランプピン装着用開口３ａを中心とした凹部３ｄが形成されている。
【００３０】
導電ばね２は、長尺の板状導電部材により形成され、一端が栓受体７の背面側に配設されて、その弾性により栓受体７を前面側に付勢すると共に、導電ばね２の一端側のランプピン装着用開口３ａの裏面側が、挿入されたランプピン６ａの先端が当接する接触面２ａとされている。したがって、ランプピン装着用開口３ａの近傍では、凹部３ｄにより筐体１である栓受体７と導電ばね２との間には、凹部３ｄの窪み分だけ他の部分よりも広くされた間隙が形成される。このように構成しても前記第１の参考例と同様の効果を奏する。
【００３１】
【発明の効果】
このように構成されているため本発明は、請求項１記載の発明にあっては、導電ばねとランプのランプピンの当接開始位置近傍及び離脱開始位置近傍で、導電ばねと熱可塑性樹脂製の筐体との間に、それらの間の距離が他の部分よりも大きくなる間隙が設けられているため、導電ばねとランプピン間にアーク放電が生ずることがあっても、そのアークが筐体に触れにくくなって、筐体の溶融や変形を防止することができる。また、筐体との間に間隙を設ける部分は、導電ばねのランプピンの当接開始位置近傍及び離脱開始位置近傍のみでよいため、他の部分では導電ばねを筐体に当接させることもでき、導電ばねの位置決めがしにくくなることもない。さらには、間隙を、導電ばねをランプピンの当接開始位置近傍及び離脱開始位置近傍にのみ形成しているため、ランプ装着位置における導電ばねとランプピンの接触面積が狭くなることもなく、通電性能を確保させ易い。
【００３２】
加えて、間隙を、導電ばねをランプピンの当接開始位置近傍及び離脱開始位置近傍でのみ導電ばねの幅を狭くして形成しているため、導電ばねを全体を細幅にしたものに比べてばね圧を確保し易く、通電性能を確保させ易く、また、間隙が、導電ばねの一部を細幅とすることにより形成されているため、蛍光灯ソケットが大型化することもない。さらには、導電ばねは幅狭とされた部分では筐体に当接することはないため、導電ばねが弾性変形する際の摩擦がその分だけ小さくなって、導電ばねを動き易くすることができる。
【図面の簡単な説明】
【図１】本発明の蛍光灯ソケットの第１の実施の形態を示す分解斜視図である。
【図２】同上の導電ばねとランプピンの接触状態を示す要部の斜視図である。
【図３】同上の組立て状態の斜視図である。
【図４】同上のランプの装着手順を示すものであり、(a) はランプピンを挿入する直前状態の正面図、(b) ランプピンを挿入した直後状態の正面図、(c) はランプピンが導電ばねに当接し始めた状態の正面図、(d) はランプ装着完了状態の正面図である。
【図５】同上のランプの装着手順を示すものであり、(a) はランプピンを挿入する直前状態の側面図、(b) ランプピンを挿入した直後状態の側面図、(c) はランプピンが導電ばねに当接し始めた状態の側面図、(d) はランプ装着完了状態の側面図である。
【図６】  本発明の蛍光灯ソケットの第１の参考例を示す分解斜視図である。
【図７】同上の導電ばねとランプピンの接触状態を示す要部の斜視図である。
【図８】同上の組立て状態の斜視図である。
【図９】同上のランプの装着手順を示すものであり、(a) はランプピンを挿入する直前状態の正面図、(b) ランプピンを挿入した直後状態の正面図、(c) はランプピンが導電ばねに当接し始めた状態の正面図、(d) はランプ装着完了状態の正面図である。
【図１０】同上のランプの装着手順を示すものであり、(a) はランプピンを挿入する直前状態の側面図、(b) ランプピンを挿入した直後状態の側面図、(c) はランプピンが導電ばねに当接し始めた状態の側面図、(d) はランプ装着完了状態の側面図である。
【図１１】  同上の参考例の変形例の要部を示す斜視図である。
【図１２】  本発明の蛍光灯ソケットの第２の参考例を示す分解斜視図である。
【図１３】同上の導電ばねとランプピンの接触状態を示す要部の斜視図である。
【図１４】同上の組立て状態の斜視図である。
【図１５】同上のランプの装着手順を示すものであり、(a) はランプピンを挿入する直前状態の正面図、(b) ランプピンを挿入した直後状態の正面図、(c) はランプピンが導電ばねに当接し始めた状態の正面図、(d) はランプ装着完了状態の正面図である。
【図１６】同上のランプの装着手順を示すものであり、(a) はランプピンを挿入する直前状態の側面図、(b) ランプピンを挿入した直後状態の側面図、(c) はランプピンが導電ばねに当接し始めた状態の側面図、(d) はランプ装着完了状態の側面図である。
【図１７】  本発明の蛍光灯ソケットの第２の実施の形態を示す分解斜視図である。
【図１８】同上のランプの装着手順を示すものであり、(a) はランプピンを挿入する直前状態の正面図、(b) はランプピンが導電ばねに当接し始めた状態の正面図、(c) はランプ装着完了状態の正面図である。
【図１９】同上のランプの装着手順を示すものであり、(a) はランプピンを挿入する直前状態の側面図、(b) はランプピンが導電ばねに当接し始めた状態の側面図、(c) はランプ装着完了状態の側面図である。
【図２０】  本発明の蛍光灯ソケットの第３の参考例を示す一部断面状態の側面図である。
【図２１】同上の分解斜視図である。
【図２２】同上の組立て状態の斜視図である。
【図２３】同上のランプの装着手順を示すものであり、(a) はランプピンが導電ばねに当接し始めた状態の側面図、(b) はランプ装着完了状態の側面図である。
【図２４】同上の実施の形態の変形例の要部を示す斜視図である。
【図２５】従来の蛍光灯ソケットを示す一部断面状態の正面図である。
【図２６】同上の分解斜視図である。
【図２７】同上の一部断面状態の側面図である。
【符号の説明】
１      筐体
２      導電ばね
３ａ    ランプピン装着用開口
３ｄ    凹部
６      ランプ
６ａ    ランプピン
Ｄ      間隙
【図１】
0003675100.tif 000002
【図２】
0003675100.tif 000003
【図３】
0003675100.tif 000004
【図４】
0003675100.tif 000005
【図５】
0003675100.tif 000006
【図６】
0003675100.tif 000007
【図７】
0003675100.tif 000008
【図８】
0003675100.tif 000009
【図９】
0003675100.tif 000010
【図１０】
0003675100.tif 000011
【図１１】
0003675100.tif 000012
【図１２】
0003675100.tif 000013
【図１３】
0003675100.tif 000014
【図１４】
0003675100.tif 000015
【図１５】
0003675100.tif 000016
【図１６】
0003675100.tif 000017
【図１７】
0003675100.tif 000018
【図１８】
0003675100.tif 000019
【図１９】
0003675100.tif 000020
【図２０】
0003675100.tif 000021
【図２１】
0003675100.tif 000022
【図２２】
0003675100.tif 000023
【図２３】
0003675100.tif 000024
【図２４】
0003675100.tif 000025
【図２５】
0003675100.tif 000026
【図２６】
0003675100.tif 000027
【図２７】
0003675100.tif 000028